(57)【特許請求の範囲】
【請求項１】
左右両側へ開閉自在で果菜類（イ）を把持する把持プレ−ト（５３）と、カッタ刃（５０ｄ）を装着して前後及び上下方向へスライド移動自在で平面視Ｕ字形状の摘果プレ−ト（５０）と、該摘果プレ−ト（５０）が上端部位置へ移動したこと検出する検出スイッチ（５１）とで構成され、前記果菜類（イ）の果柄部（ニ）の検出及び切断を行なうエンドエフェクタ（１６）を設けた野菜収穫機の摘果装置において、前記把持プレ−ト（５３）が果菜類（イ）を把持した状態で前記摘果プレ−ト（５０）を上方に向かって移動させ、前記検出スイッチ（５１）が摘果プレート（５０）を検出しなければ前記カッタ刃（５０ｄ）が果柄部（ニ）を切断したと判定し、前記検出スイッチ（５１）が摘果プレート（５０）を検出すると果柄部（二）を検出できなかったと判定し、果菜類（イ）を把持しなおすべくエンドエフェクタ（１６）を再移動する制御装置（１９）を設けたことを特徴とする野菜収穫機の摘果装置。
【発明の詳細な説明】
【０００１】
【発明の属する技術分野】
この発明は、エンドエフェクタの把持プレ−トで把持した果菜類の果柄部を摘果プレ−トに設けたカッタ刃により、この摘果プレ−トが前後、及び上下方向へスライド移動して切断する野菜収穫機の摘果装置として利用できる。
【０００２】
【従来の技術】
果菜類が、例えば、キュウリであり、このキュウリを収穫するときは、検出したこのキュウリの位置までエンドエフェクタが移動され、このエンドエフェクタの左右両側の開閉する把持プレ−トの閉作動により、このキュウリの果実の所定位置である上端部から略３０ｍｍ程度下方部位置が把持され、Ｕ字形状の摘果プレ−トが上方へスライド移動すると共に、更に前方へスライド移動して、把持したこのキュウリの果柄部は、この摘果プレ−トに設けたカッタ刃によって押し切りされ、切断済みキュウリは把持プレ−トで把持した状態で所定位置へ移動して排出する。
【０００３】
【発明が解決しようとする課題】
エンドエフェクタの把持プレ−トにより、キュウリの果実の上端部から略３０ｍｍよりも下方部を把持した場合は、このキュウリの果柄部が切断されないことがあるが、切断できたか否かを判定することなく、切断に関係なくこのキュウリを把持プレ−トで把持した状態で所定位置への移動が行われることにより、このキュウリの主茎を損傷したり、又、このキュウリを栽培用の支柱等を破損することがあったが、この発明により、これらの問題点を解決しようとするものである。
【０００４】
【課題を解決するための手段】
このためにこの発明は、左右両側へ開閉自在で果菜類（イ）を把持する把持プレ−ト（５３）と、カッタ刃（５０ｄ）を装着して前後及び上下方向へスライド移動自在で平面視Ｕ字形状の摘果プレ−ト（５０）と、該摘果プレ−ト（５０）が上端部位置へ移動したこと検出する検出スイッチ（５１）とで構成され、前記果菜類（イ）の果柄部（ニ）の検出及び切断を行なうエンドエフェクタ（１６）を設けた野菜収穫機の摘果装置において、前記把持プレ−ト（５３）が果菜類（イ）を把持した状態で前記摘果プレ−ト（５０）を上方に向かって移動させ、前記検出スイッチ（５１）が摘果プレート（５０）を検出しなければ前記カッタ刃（５０ｄ）が果柄部（ニ）を切断したと判定し、前記検出スイッチ（５１）が摘果プレート（５０）を検出すると果柄部（二）を検出できなかったと判定し、果菜類（イ）を把持しなおすべくエンドエフェクタ（１６）を再移動する制御装置（１９）を設けたことを特徴とする野菜収穫機の摘果装置の構成とする。
【０００５】
【発明の作用】
果菜類（イ）を収穫するときは、検出したこの果菜類（イ）の位置までエンドエフェクタ１６が移動され、このエンドエフェクタ１６の左右両側の開閉する把持プレ−ト５３の閉作動により、この果菜類（イ）の果実の所定位置が把持され、Ｕ字形状の摘果プレ−ト５０が上方へスライド移動すると共に、更に前方へスライド移動して、検出スイッチ（５１）が摘果プレート（５０）を検出しなければ把持したこの果菜類（イ）の果柄部（ニ）は、この摘果プレ−ト５０に設けたカッタ刃５０ｄによって押し切りされたと判定し、切断済み果菜類（イ）は該把持プレ−ト５３で把持した状態で所定位置へ移動して排出する。
【０００６】
上記の切断のときに、前記摘果プレ−ト５０が上端部位置まで移動して、この移動を検出スイッチ５１で検出されると、この検出に伴って果菜類（イ）の果柄部（ニ）が検出できなかったと制御装置１９で判定され、この判定により、エンドエフェクタ１６が再移動される。
【０００７】
【発明の効果】
前記把持プレ−ト（５３）が果菜類（イ）を把持した状態で前記摘果プレ−ト（５０）を上方に向かって移動させ、前記検出スイッチ（５１）が摘果プレート（５０）を検出しなければ前記カッタ刃（５０ｄ）が果柄部（ニ）を切断したと判定し、前記検出スイッチ（５１）が摘果プレート（５０）を検出すると果柄部（二）を検出できなかったと判定し、果菜類（イ）を把持しなおすべくエンドエフェクタ（１６）を再移動する制御装置（１９）を設けたことで、果菜類（イ）の主茎の損傷を防止したり、又、栽培用の主柱等の破損を防止することができる。
【０００８】
【発明の実施の形態】
以下、本発明の一実施例を図面に基づいて説明する。図例は、果菜類（イ）は、例えば、キュウリ（イ）であり、圃場の畝（ロ）上に傾斜状態に栽培したこのキュウリ（イ）を収穫する農業用ロボットである野菜収穫機１を図示して説明すると共に、この野菜収穫機１の収穫装置１０の摘果装置を図示して説明する。
【０００９】
前記野菜収穫機１の走行車両８の走行車台２下側の左右両側の前後両側には、一対の前輪３と後輪４を各々配設し、これら前輪３と後輪４の４輪に対し各別に車輪駆動用モータ５を連動連結すると共に、進行方向に対して操縦旋回自在に軸支し、これら前・後輪３，４を各別に舵取り制御するための操向角度を検出する操向角度センサ６を各別に設けると共に、これら前・後輪３，４の間には、動力電源としてのバッテリ７を収納して該走行車両８を構成し、これら前・後輪３，４は、畝（ロ），（ロ）間で形成する溝（ハ）内を走行する。
【００１０】
前記走行車台２上の前部には、この野菜収穫機１の操作制御を行うコントローラ等を内装した前カバー９を設け、この前カバー９の後方には、キュウリ（イ）を収穫する収穫装置１０を設け、この収穫装置１０はキュウリ（イ）の画像を撮像するＣＣＤカメラ１１ａによる視覚センサ１１と、この視覚センサ１１の撮像によるキュウリ（イ）を把持して摘果するマニピュレータ１２とを装架した、略円筒形状でその一部を直角状に切り欠いだ作業旋回胴１３を旋回可能に設けた構成であり、該視覚センサ１１、及び該マニピュレータ１２は、該作業旋回胴１３内を上下移動自在に構成している。
【００１１】
前記作業旋回胴１３の後方部で走行車台２の上側に設けた後カバー１７内には、収穫したキュウリ（イ）を収納するためのキャリーの格納と放出とを行うキャリー収納部１８を設け、該後カバー１７の後側面には、野菜収穫機１の走行操作、及び各種制御操作する操作装置１９ａを設けた構成である。前記マニピュレータ１２は、多関節による人間の腕と手先の動きに近い作用を行わせるために、基部の回動メタル１４で形成するショルダ関節部（Ａ）、伸縮直動アーム１５で形成するアーム関節部（Ｂ）、先端の把持、及び切断するエンドエフェクタ１６部を連結形成するリスト関節部（Ｃ）、及び水平旋回させるウエスト関節部（Ｄ）等よりなり、これらの各関節部を相互に連結配置した構成であり、傾斜状態に栽培した収穫適期のキュウリ（イ）を視覚センサ１１のＣＣＤカメラ１１ａで検出し、この検出したキュウリ（イ）をマニピュレータ１２で把持して摘果する構成としている。
【００１２】
前記エンドエフェクタ１６の先端部には、図７で示す如く植物、例えば、キュウリ（イ）に強く反応するＯＮ−ＯＦＦスイッチ方式の近接センサ１６ａを設けると共に、キュウリ（イ）に当接して回動するセンサプレート１６ｂ、及びキュウリ（イ）を検出するＯＮ−ＯＦＦスイッチ方式の接触センサ１６ｃを設けた構成である。
【００１３】
前記近接センサ１６ａがキュウリ（イ）を検出しなく、この近接センサ１６ａがＯＦＦ状態で、このＯＦＦ状態が後述する摘果部コントロ−ラ５６ｃの制御装置１９へ入力されているときは、エンドエフェクタ１６は前進の所定位置までは、高速度でアプローチされる。又、該近接センサ１６ａが、キュウリ（イ）を検出して、この近接センサ１６ａがＯＮ状態となり、このＯＮ状態が該制御装置１９へ入力されると、該エンドエフェクタ１６は前進の所定位置からキュウリ（イ）を把持する位置までは、低速度でアプローチされる構成である。
【００１４】
前記センサプレート１６ｂがキュウリ（イ）に接触して回動し、この回動によって接触センサ１６ｃがＯＮ状態となり、このＯＮ状態が制御装置１９へ入力されると、該エンドエフェクタ１６を該制御装置１９で停止制御する構成である。これにより、接触センサ１６ｃはキュウリ（イ）の自重によってＯＮされ、葉等ではＯＮしない構成である。これによって、キュウリ（イ）がエンドエフェクタ１６で把持されたことも認識できて便利である。又、近接センサ１６ａを設けたことにより、障害物が明らかに無い部分では、高速アプローチして収穫時間の短縮を図り、障害物がある可能性が大きい付近では、低速アプローチすることで葉、及び茎の損傷を防止できる。更にキュウリ（イ）へ高速での衝突を防ぎ、損傷を防止することができる構成である。
【００１５】
前記マニピュレータ１２とキュウリ（イ）を補助的に収納する補助収納ケース２０とは、上下方向にスライド移動させるネジ部を有するスライド軸２１を作業旋回胴１３の直角状の切り欠き部壁面の内側に沿って回動可能に支承すると共に、このスライド軸２１の回動により、上下移動自在にスライドガイド２２を軸支した構成である。このスライドガイド２２にマニピュレータ１２のベース部２３を、該作業旋回胴１３の直角状の切り欠き部壁面に沿って設けた２条の摺動溝１３ｂを貫通して結合すると共に、該スライド軸２１を回動させるスライドモータ２４をこのスライド軸２１の下端部に連動連結し、該作業旋回胴１３と共に、視覚センサ１１のＣＣＤカメラ１１ａ、及び該マニピュレータ１２を略１８０度旋回させる車台モータ２５は、前記走行車台２の該作業旋回胴１３の中心位置に配置すると共に、連動連結した構成である。
【００１６】
前記視覚センサ１１のＣＣＤカメラ１１ａは、上下方向にスライド移動させるネジ部を有するスライド軸２６は、作業旋回胴１３の直角状に切り欠き部壁面の内側に沿って回動可能に支承すると共に、このスライド軸２６の回動により、上下移動自在にスライドガイド２７を軸支した構成である。このスライドガイド２７の上面部には、マニピュレータ１２の摺動溝１３ａを有する壁面に対して略直角位置に変化させる壁面に沿って設けた摺動溝１３ｂを貫通して、該ＣＣＤカメラ１１ａの結合アーム１１ｂを結合させると共に、スライド軸２６を回動させるためのスライドモータ２８をこのスライド軸２６の下端部に連動連結し、該摺動溝１３ｂには、該ＣＣＤカメラ１１ａの姿勢を保持させると共に、摺動可能なガイドレールを設けた構成である。
【００１７】
前記マニピュレータ１２は、図５、及び図６で示す如く多関節による人間の腕と手先の動きに近い作用を行わせるために、その基部から先端側にかけて各々ショルダ関節部Ａ、アーム関節部Ｂ、リスト関節部Ｃ等の各関節部を相互に連結配置した構成である。前記ショルダ関節部Ａは、マニピュレータ１２を上下回動させるためのショルダ関節として、サーボモータによるショルダモータ２９を組み込み連動連結した構成である。
【００１８】
前記アーム関節部Ｂは、２段階に伸縮させる前記伸縮直動アーム１５の基部に組み込んだサーボモータによるアームモータ３０から、該伸縮直動アーム１５基部の固定筒１５ａに内装したボールネジ等からなるスライダ３１に連動連結すると共に、このスライダ３１の回動により、該固定筒１５ａ内に、１段目の伸縮筒１５ｂを収納可能にガイドレール３２を該スライダ３１と並行して内装配置する。該アームモータ３０から１段目の該伸縮筒１５ｂ内に張設したタイミングベルト３２ａを介して、ボールネジ等からなるスライダ３３に連動連結すると共に、このスライダ３３の回動により、１段目の該伸縮筒１５ｂ内に、２段目の伸縮筒１５ｃを収納可能にガイドレール３４を該スライダ３３と並行して内装配置した構成である。リスト関節部Ｃは、２段目の該伸縮筒１５ｃの基部側に組み込んだサーボモータによるリストピッチモータ３５から、該伸縮筒１５ｃの先端部まで延長したリスト駆動軸３６の端部にウォームギヤ３７ａを軸止すると共に、このウォームギヤ３７ａと直角交差して、噛み合うウォームホイル３７ｂにリストピッチ関節軸３８を軸止して各々連動連結すると共に、このリストピッチ関節軸３８が該伸縮筒１５ｃの外部に突出した軸端に、角筒状のエンドエフェクタ１６の回動を支持するＬ字状の回動支持アーム３９を軸止した構成である。
【００１９】
前記回動支持アーム３９に、エンドエフェクタ１６の後端部を支承して略１８０度範囲で鉛直平面内をピッチ回動させると共に、このエンドエフェクタ１６を略１８０度範囲でロール回動させるサーボモータによるリストロールモータ４０を、該回動支持アーム３９を介して該エンドエフェクタ１６の後端部に連動連結した構成である。
【００２０】
前記マニピュレータ１２を水平旋回させるウエスト関節部Ｄにおけるサーボモータによるウエストモータ４１の回動軸心を、ショルダ関節部Ａが装着されるベース部２３において、エンドエフェクタ１６の作業中心軸が伸縮直動アーム１５の基部に向けて延長した軸線と交わる位置に組み込み連動連結して設ける。このベース部２３の下面にキュウリ（イ）を数個収納可能で、キュウリ（イ）の摘果時に該エンドエフェクタ１６の位置までスライド延出すると共に、その底面を開閉可能に設けた補助収納ケース２０を、ラックとピニオンにより駆動するケーススライドモータ４２を組み込んで作業旋回胴１３の上面に配置した構成である。
【００２１】
前記エンドエフェクタ１６は、図１、及び図８〜図１２に示す如く角筒状の箱体４３を有し、この箱体４３内の上部一側にキュウリ（イ）を摘果する摘果モータ４４を配置し、このモータ４４にスライドネジ４５を前方に向け延長して連結すると共に、このスライドネジ４５の回転方向により前進、又は後進するスライドアーム４５ａを、該摘果モータ４４の側部に平行して前後方向に延設したガイドレール４６によって摺動案内される断面Ｕ字状の摘果ベース４７に接合し、この摘果ベース４７のＵ字状の片側後端部の側部突起４７ａを、前後に配置したリミットスイッチ前４６ａ、及びリミットスイッチ後４６ｂとに各々係合可能な構成である。
【００２２】
４点平行リンクによる左右の摘果リンク４８によって、摘果ベース４７の前端部と摘果アーム４９の後部とを連結すると共に、該摘果ベース４７のリンクピン４７ｂに該摘果リンク４８による該摘果アーム４９の上動を一定の荷重で抑える抑えバネ４７ｃを張設し、該摘果アーム４９の前端部に、キュウリ（イ）の果柄の検出と切断を行う平面視Ｕ字形状の摘果プレート５０のＵ字基部を支持した構成である。
【００２３】
前記摘果プレート５０は、摘果アーム４９に支持するＵ字基部から前端の開口端部５０ａに亘り、キュウリ（イ）への押圧力を上方向への分力により逃して適正な圧力を保持できる角度θとなるよう傾斜させると共に、左右の該開口端部５０ａの先端には各々該摘果プレート５０のキュウリ（イ）への押圧上動を円滑にするための摺動ローラ５０ｂを軸支し、キュウリ（イ）の果柄部（ニ）を取り入れるＵ字形状の長孔部５０ｃを平面視斜めに遮断する状態に薄刃状のカッタ刃５０ｄを、果柄部（ニ）の押し切りを容易とするよう傾斜姿勢の該摘果プレート５０に対し水平状態に取り付けた構成である。
【００２４】
前記箱体４３内の中央下部にキュウリ（イ）を把持する把持モータ５１を配置し、この把持モータ５１から前方側にウォームギヤ５１ａを固着し、このウォームギヤ５１ａと噛合する左右のウォームホイル５１ｂを各々左右対称位置に配設すると共に、この左右のウォームホイル５１ｂから各々上方に向けて支承した左右の把持軸５２に、この把持軸５２の回動によりキュウリ（イ）を把持可能な長さ前方へ延出した左右の把持プレート５３を連動可能に設け、この把持プレート５３には、リターン用の戻しバネ５３ａと、キュウリ（イ）を傷つけないための緩衝パット５３ｂを各々取り付けた構成である。図１２で示す如く左右両側の該把持軸５２には、該ウォームホイル５１ｂの上側に、該把持プレート５３の開閉と同時に開閉する把持プレートカム５２ａを固着し、この左右両側の把持プレートカム５２ａの開閉状態を検出する把持プレート閉スイッチ５２ｂを左右両側に設けている。又、左右両側の該把持軸５２には、該戻しバネ５３ａの上側に、該把持プレート５３の開閉と同時に開閉する果実径用カム５２ｃを回動自在に設け、この果実径用カム５２ｃの閉状態位置により、ＯＮする果実径検出用スイッチ５２ｄを左右両側に設け、この果実径検出用スイッチ５２ｄのＯＮにより、検出したキュウリ（イ）は設定径より小径であると検出する構成である。
【００２５】
これにより、一方側の前記果実径検出用スイッチ５２ｄがＯＮすれば、キュウリ（イ）が把持されているか、もしくは収穫対称外（小径）のキュウリ（イ）と判定できる。又、一方側が主茎と共に、キュウリ（イ）を把持したときでも、他方側がキュウリ（イ）に接触するために小径のキュウリ（イ）と判定できる。前記把持モータ５１の上側で左右の把持軸５２の間に、キュウリ（イ）を把持する際に吸引固定するための吸着パット５４を配置し、この吸着パット５４を前後に移動させるスライドネジ５４ａを後方に向け延長し、このスライドネジ５４ａと連動連結させた吸着モータ５５は、摘果モータ４４と反対側の上部位置側に配設した構成である。なお、エンドエフェクタ１６はオフセットにより交換を可能とする。
【００２６】
前記各把持プレート５３は、１個の把持モータ５１で開閉させる構成であり、開閉何れの場合にも左右独立して回動自在な各把持軸５２の回動により、この回動運動を各戻しバネ５３ａを介して、該各把持プレート５３へ伝達し、この各戻しバネ５３ａを介することにより、該把持プレート５３は回動自在な構成である。
【００２７】
これにより、一方側の前記把持プレート５３のみでも、キュウリ（イ）に接触するために、キュウリ（イ）の固定ができて、収穫作業ができる。更に該把持プレート５３は左右独立で回動自在であることにより、キュウリ（イ）の主茎を把持したままマニピュレータ１２を縮めれば、主茎は該把持プレート５３から外れ、その瞬間にキュウリ（イ）を把持できる。
【００２８】
前記摘果プレート５０は、図１で示す如く所定の上端部位置へ移動すると、この上端部位置を検出するＯＮ−ＯＦＦリミットスイッチ方式の検出スイッチ５１を設けている。この検出スイッチ５１が該摘果プレート５０が上端部位置へ移動して、摘果アーム４９を介してＯＮ状態となると、このＯＮ状態が後述する摘果部コントローラ５６ｃに内装した制御装置１９へ入力され、この入力により、キュウリ（イ）の果柄部（ニ）が検出できなかったと判定する構成である。この判定に基づいてエンドエフェクタ１６はキュウリ（イ）の果実を把持しなおすべく再度移動制御され、果実の上端部から略３０ｍｍ程度位置を各把持プレート５３で把持しなおす構成である。
【００２９】
前記検出スイッチ５１により、キュウリ（イ）の果柄部（ニ）を検出できなかったと判定でき、果実の上方部を把持しなおして、再度果柄部（ニ）を検出することができる構成であり、果実や主茎部を損傷することなく、又、栽培用の支柱等を破損しない構成である。前記摘果プレート５０は、図１で示す如く前後スライドする領域の内で、キュウリ（イ）の果柄部（ニ）を検出する検出部エリアと、果柄部（ニ）を切断する切断部エリアとに別れる構成であり、果柄部（ニ）の検出部エリア内で、該摘果プレート５０の上端部位置を検出する検出スイッチ５１がＯＮ状態になったときは、果柄部（ニ）が検出できなかったと判定する構成である。又、果柄部（ニ）を切断する切断部エリア内で、該検出スイッチ５１がＯＮ状態になったときは、果柄部（ニ）を切断中でこの果柄部（ニ）が、該摘果プレート５０に設けたカッタ刃５０ｄを後方へ押していると判定する構成である。更に切断部エリア内で、該検出スイッチ５１が一度でもＯＦＦ状態になったときは、果柄部（ニ）の切断が終了したと検出する構成とするもよい。
【００３０】
これにより、果柄部（ニ）の検出、前記摘果プレート５０の動作状況（果柄部（ニ）を検出中か、又は切断中か）を把握できて、確実な切断動作を行うことができる。更に、無駄な果実の持ち替えは行わないし、持ち替え中に果実を落すことがない。前記摘果プレート５０は、キュウリ（イ）の果柄部（ニ）を検出する検出部エリアと、果柄部（ニ）を切断する切断部エリアとの境界位置を、該摘果プレート５０の前方スライド中に、この摘果プレート５０が最短で上端部位置へ移動する位置に設定した構成である。更に、残りの前後スライド量は、カッタ刃５０ｄが果柄部（ニ）の水平面分布域を移動可能なスライド量以上とした構成とするもよい。
【００３１】
これにより、前記摘果プレート５０が果柄部（ニ）を検出する検出エリア内で上端部位置まで移動しなければ（果柄部（ニ）の位置が検出できれば）、果柄部（ニ）の水平面位置まで確実にカッタ刃５０ｄが移動可能となり、確実に果柄部（ニ）を切断できる。図１４に示す如く制御機構として前記走行車両８の車輪駆動用モータ５，操向角度センサ６，キャリー制御部１８ａ等を制御する走行部コントローラ５６ａと、ＣＣＤカメラ１１ａを制御する視覚部コントローラ５６ｂと、マニピュレータ１２を制御する摘果部コントローラ５６ｃの制御装置１９と、これら各コントローラ５６ａ，５６ｂ，５６ｃと共に、操作装置１９ａ、及び安全装置５７等を統括制御するメインコントローラ５６とを前カバー９に内装して構成する。
【００３２】
該視覚部コントローラ５６ｂは、図１５に示す如く、ＯＣＲ５８から信号を受けた駆動パルス発生回路５９からドライバ６０を介してレシーバ６１へ、このレシーバ６１からＣＣＤカメラ１１ａへ接続する。該ＣＣＤカメラ１１ａの駆動により検出された信号をビデオ信号に交換する信号処理回路６２と該ＣＣＤカメラ１１ａとを接続し、この信号処理回路６２からＡ／Ｄ変換器６３を経て画像メモリ６４へ接続すると共に、この画像メモリ６４と高速画像処理を行う画像処理回路６５とＣＰＵ６６とを相互通信可能に接続する。該ＣＰＵ６６からビデオ信号を基にランプ発光タイミングと該Ａ／Ｄ変換器６３の開始タイミングを設定するタイミング回路６７へ接続し、このタイミング回路６７と該Ａ／Ｄ変換器６３、及びランプ駆動回路６８とを接続すると共に、該タイミング回路６７へ該信号処理回路６２を接続させ、該ランプ駆動回路６８を介してハロゲンランプ６９を駆動させるべく接続し、フォトセンサ７０からＡ／Ｄ変換を経てＣＰＵ６６へ接続して構成する。
【００３３】
前記摘果コントローラ５６ｃは、図１６に示す如く、サーボモータとしての前記ウエストモータ４１、スライドモータ２４、スライドモータ２８、ショルダモータ２９、アームモータ３０、リストピッチモータ３５、リストロールモータ４０、及び把持モータ５１ｃを各々コントロールドライバ７１を介して接続すると共に、摘果モータ４４、吸着モータ５５を各々接続して構成する。なお、該各サーボモータ４１，２４，２８，２９，３０，３５，４０には各々エンコーダ、及び原点検出センサを組み合わせて設ける。
【００３４】
前記野菜収穫機１により作業対象物としてのキュウリ（イ）の収穫を行うときは、図１４で示す如く走行部コントローラ５６ａによる車輪駆動モータ５や走行角度センサ６等の制御により畝（ロ）間に形成した溝（ハ）に沿って走行を行いながら、傾斜棚Ｔに栽培された収穫適期のキュウリ（イ）をＣＣＤカメラ１１ａの上下スライド移動によって撮像し、この撮像により入力した画像を視覚部コントローラ５６ｂによって画像処理を行い、この画像情報による摘果部コントローラ５６ｃの演算によって、マニピュレータ１２の伸縮直動アーム１５を、ウエスト関節部Ｄによる左右旋回とショルダ関節部Ａによる上下移動とを行わせると共に、アーム関節部Ｂを伸縮させ、その先端部に位置するリスト関節部Ｃによりエンドエフェクタ１６を制御して収穫アプローチを行う。
【００３５】
この収穫アプローチ時に、エンドエフェクタ１６のピッチ回動、又はロール回動により、吸着モータ５５を駆動させて吸着パット５４を前方へスライドさせ、真空ポンプ７２から供給されるバキュームによりキュウリ（イ）を吸着した後、把持位置まで後退させると同時に、把持モータ５１ｃを駆動させて把持プレート５３によりキュウリ（イ）を把持する。このキュウリ（イ）の把持により摘果モータ４４を駆動させて、スライドネジ４５によりスライドアーム４５ａを介して摘果ベース４７をリミットスイッチ前４６ａによる規制位置まで前進を可能とし、この摘果ベース４７の前進と共に摘果リンク４８により連結される摘果アーム４９を介して摘果プレート５０を前進させる。
【００３６】
前記吸着パット５４と真空ポンプ７２との間には、図１３で示す如く電磁バルブ７３、及び圧力センサ７４を設け、各把持プレート５３を開状態に操作して、キュウリ（イ）をリリースするときには、該電磁バルブ７３をオープンにする構成である。これにより、キュウリ（イ）をリリースするときに、キュウリ（イ）の放置姿勢を前記エンドエフェクタ１６の向きに規制することができる。
【００３７】
前記吸着パット５４を真空ポンプ７２で作動させるときに、例えば、該吸着パット５４を前方へ約２０ｍｍスライドさせて、キュウリ（イ）へアプローチする。該真空ポンプ７２をＯＮして、キュウリ（イ）を吸着する。該吸着パット５４を後方へスライドさせて、把持部内へ誘導する構成である。該真空ポンプ７２内の空気圧が上がれば、該吸着パット５４の移動速度と、エンドエフェクタ１６の前進速度とを同速度にした構成である。該吸着パット５４が初期位置にきたときに、各把持プレート５３により、キュウリ（イ）を把持する構成である。
【００３８】
これにより、キュウリ（イ）の果柄の長短に関係なく、このキュウリ（イ）を確実に把持部内へ誘導できて、確実な把持が可能になる。前記真空ポンプ７２の圧力を検出する圧力センサ７４が所定値以下の検出に伴い、キュウリ（イ）を吸着したと判定する構成である。これにより、キュウリ（イ）の主茎、及び葉部には、細かなヒゲがあり、前記吸着パット５４は吸着しない。真空ポンプ７２内の圧力が下がれば、キュウリ（イ）の上端部近傍に該吸着パット５４が吸着したと判定できる。又、圧力が下降しないときには、アプローチ方向が違うとして再アプローチ動作へ移行できる。
【００３９】
前記吸着パット５４がキュウリ（イ）へ吸着する位置は、収穫しようとするキュウリ（イ）の上端部から略３０ｍｍ程度下方位置近傍を吸着する構成とし、このキュウリ（イ）のイボのない、又、表面が光沢のある位置とした構成である。これにより、確実な吸着ができる。又、イボのない位置は他部より外力に強く、高い圧力で吸引できる。
【００４０】
前記吸着パット５４は、エンドエフェクタ１６内に設け、真空ポンプ７２で作動させ、キュウリ（イ）を吸着後に把持部内へ誘導する構成としている。これにより、キュウリ（イ）のみを把持でき、更に把持スペースを確保できる。前記吸着パット５４の中心のスライドネジ５４ａの中心位置をリストロールの回転軸７５と一致させ、更に把持部中央に位置させた構成である。
【００４１】
これにより、傾斜したキュウリ（イ）もリストロールを回転することにより、対応できる。又、前記緩衝パット５３ｂでキュウリ（イ）を把持したときに、クッションになる。前記摘果プレート５０の前進によりその開口端部５０ａに軸支した摺動ローラ５０ｂをキュウリ（イ）の表面に押圧させるが、この押圧時に該摘果プレート５０を、押圧力を上方向への分力により逃して上動できる角度θだけ傾斜させていることにより、この傾斜による上方向への分力を抑えバネ４７ｃによる一定の荷重で抑えてキュウリ（イ）の表面に適正な圧力を保持して押圧させながら、該開口端部５０ａの摺動ローラ５０ｂの回動と共に摘果リンク４８により平行上昇スライドさせる。
【００４２】
前記摘果プレート５０が上昇スライドによりキュウリ（イ）の表面に沿って果柄部（ニ）に達したときは、この果柄部（ニ）が開口端部５０ａから長孔部５０ｃへ取り込まれ、水平姿勢のカッタ刃５０ｄによる押し切りにより摘果される。この摘果されたキュウリ（イ）をキャリーに収納し満杯になった時点でキャリー制御部１８ａにより地上に放出する。
【００４３】
前記メインコントローラ５６の制御において、設定した設定時間内に設定した設定回数以上、自動リセットを繰り返したときは、不具合が発生した不具合部をシステムダウンさせ、その他の制御部をスリープ状態にして、設定時間後に再度立ち上げする構成である。更に不具合発生したときは、回復不能として全システムダウンする構成とするもよい。
【００４４】
これにより、自動リセットのタイミングをずらして行うことで、システムの回復を促し、作業の停滞をできるだけ少なくすることができる。又、上記の処理においても回復しないときは、全システムダウンさせて、野菜収穫機１の暴走を防ぐことができる。前記視覚部コントローラ５６ｂにおいて、不具合発生毎に画像データを不揮発メモリである画像メモリ６４内へ保在させて、不具合のときの画像データを全て保存する構成とするもよい。
【００４５】
これにより、不具合発生したときの画像の状態が把握でき、不具合対策が容易に行える。前記視覚部コントローラ５６ｂにおいて、画像入力毎にカウントして、このカウント毎（画像毎）のキュウリ（イ）の収穫本数をメモリし、更に枕地の回行回数をメモリする事で、エリア毎（畦毎）の収穫状況を把握できる構成とするもよい。
【００４６】
これにより、画像入力の番号と枕地の回行回数により、圃場内の位置が把握でき、その各位置での収穫本数をカウントすることで、一定エリア内の収穫本数が把握できる。又、多いエリアと少ないエリアとが把握できることにより、追肥作業等の管理作業における作業計画の立案が容易にできる。更に次回の栽培時の土作り作業計画も容易にできる。
【００４７】
前記メインコントローラ５６、走行部コントローラ５６ａ、視覚部コントローラ５６ｂ、及び摘果部コントローラ５６ｃにおいて、互いに制御、及び処理状況を把握できるように構成し、該各コントローラ５６，５６ａ，５６ｂ，５６ｃの暴走、及び処理不具合を監視できる構成とするもよい。これにより、互いが監視を行う事で、不具合発生時に自動リセットをかけて、自動回復後に引き続き作業の継続が可能になる。又、作業の停滞を防止する事ができる。
【００４８】
前記メインコントローラ５６、走行コントローラ５６ａ，視覚部コントローラ５６ｂ、及び摘果部コントローラ５６ｃにおいて、該各コントローラ５６，５６ａ，５６ｂ，５６ｃ間で、互いに各処理毎に処理開始信号、及び処理終了信号を発信、及び受信して、互いに処理状況を把握するように構成して、その処理位置を保存する構成とするもよい。
【００４９】
又、処理開始信号、又は処理終了信号が予め設定した時間以上経過しても受信されないときは、信号送信側に不具合が発生したとして、リセットする構成とするもよい。これにより、不具合発生のときに、何の処理をおこなっていたかが把握でき、補修時に何の不具合かを容易に判定できる。又、各コントローラ５６，５６ａ，５６ｂ，５６ｃの自動リセットができる事により、作業の停滞がなくなり、処理毎の不具合状況を細かく把握できる。
【００５０】
前記メインコントローラ５６、走行部コントローラ５６ａ、及び摘果部コントローラ５６ｃ内に各不揮発メモリ（図示せず）を設け、この各不揮発メモリと、視覚部コントローラ５６ｂの不揮発メモリである画像メモリ６４とには、不具合が発生時の処理位置をこれら各不揮発メモリ、及び該画像メモリ６４内へ保存して、不具合発生後に、表示部（図示せず）へ表示させる構成とするもよい。
【００５１】
これにより、いずれか、例えば、走行部コントローラ５６ａが自動リセットした後に、監視側のメインコントローラ５６の不具合により、自動リセットしたときであっても、前の不具合状況（不具合の履歴）も表示されることにより、不具合内容も把握できる。前記メインコントローラ５６、走行部コントローラ５６ａ、視覚部コントローラ５６ｂ、及び摘果部コントローラ５６ｃにおいて、該各コントローラ５６，５６ａ，５６ｂ，５６ｃが互いに制御、及び処理状況を把握して、自動リセットしても初期設定値似よって、作動開始できるように作業者が初期設定した値を不揮発メモリ（図示せず）に保存する構成とするもよい。
【００５２】
これにより、自動リセットした後にも、作業開始以前に作業者が設定した初期設定値を使用することで、不具合発生以前の設定と同様な作業ができることにより、作業の停滞を防止できると共に、作業精度の低下を防止することができる。キュウリ（イ）を栽培する圃場の栽培用の傾斜棚（Ｔ）は、図１７、及び図１８で示す如く圃場には、支持枠７７を設け、この支持枠７７の上軸７７ａと下軸７７ｂとには、上下方向に所定長さの分離プレート７８をキュウリ（イ）の株位置ごとに装着させている。
【００５３】
前記分離プレート７８は左右方向に略１５０〜１８０ｍｍ幅の長孔７８ａ部を設け、又、左右両側の枠部７８ｂは、略３０ｍｍ程度に構成して、キュウリ（イ）のヒゲが巻きつかない幅としている。この分離プレート７８は該長孔７８ａの左右方向の中心部位置からＶ字形に折曲させた構成とし、該分離プレート７８上に茎葉をのせ、該長孔７８ａ部からキュウリ（イ）が垂れ下がる構成であり、キュウリ（イ）の収穫、及びつる降ろし作業を容易に行える構成である。
【００５４】
前記分離プレート７８の長孔７８ａの上端部を支持枠７７の上軸７７ａに引っ掛けて支持させ、下部には、挿入部７８ｃを設け、この挿入部７８ｃを該支持枠７７の下軸７７ｂへ挿入して支持させた構成である。左右両側の前記分離プレート７８の上端部には、断面形状コ字形状の主茎支持枠７９を支持軸８０で支持させて設け、該分離プレート７８と一体にした構成であり、主茎を屈曲させることなく生育させる構成である。この主茎支持枠７９の左右両側の縦枠部７９ａは略垂直状態に支持させて、支持枠７７から突出させない状態として、作業者の頭近傍のスペースを確保する構成としている。
【００５５】
前記主茎支持枠７９には、所定幅の長孔７９ｂ部を設けると共に、中央部には紐７９ｃを設けた構成とするもよい。
【図面の簡単な説明】
【図１】 エンドエフェクタの摘果プレート部の上下移動状態を示す拡大側面図
【図２】 野菜収穫機の全体側面図
【図３】 野菜収穫機の全体背面図
【図４】 野菜収穫機の作業状態の全体背面図
【図５】 マニピュレータ部の拡大側面図
【図６】 マニピュレータ部の拡大平面図
【図７】 マニピュレータ先端部の拡大側面図
【図８】 エンドエフェクタ部の拡大側面図
【図９】 エンドエフェクタ部の拡大正面図
【図１０】 エンドエフェクタ部の拡大平面図
【図１１】 エンドエフェクタの摘果プレート部の上下移動状態を示す拡大側面図
【図１２】 エンドエフェクタ部の拡大側面斜視図
【図１３】 吸着パット部の拡大側面図
【図１４】 野菜収穫機全体の制御関係のブロック図
【図１５】 視覚部の制御関係のブロック図
【図１６】 摘果部の制御関係のブロック図
【図１７】 栽培用棚の拡大正面図
【図１８】 栽培用棚の拡大側面図
【符号の説明】
１６ エンドエフェクタ
１９ 制御装置
５０ 摘果プレート
５０ｄ カッタ刃
５１ 検出スイッチ
５３ 把持プレート
（イ） 果菜類（キュウリ）
（ニ） 果柄部
【図１】
0003921857.tif 000002
【図２】
0003921857.tif 000003
【図３】
0003921857.tif 000004
【図４】
0003921857.tif 000005
【図５】
0003921857.tif 000006
【図６】
0003921857.tif 000007
【図７】
0003921857.tif 000008
【図８】
0003921857.tif 000009
【図９】
0003921857.tif 000010
【図１０】
0003921857.tif 000011
【図１１】
0003921857.tif 000012
【図１２】
0003921857.tif 000013
【図１３】
0003921857.tif 000014
【図１４】
0003921857.tif 000015
【図１５】
0003921857.tif 000016
【図１６】
0003921857.tif 000017
【図１７】
0003921857.tif 000018
【図１８】
0003921857.tif 000019